(57)【要約】【課題】電子回路を内蔵した本体ユニットの外側に電子部品を配置した構成の電子機器の小型化を図ることができるようにする。【解決手段】電子回路を内蔵した本体ユニットの外側に固定され、電子回路を外部配線に接続する外部端子を備える端子台１０を提供する。端子台１０は、電子部品１５を収容する収容ケース１１と、導電性の板材を屈曲して断面Ｌ字状に形成されると共に収容ケース１１に固定される屈曲端子板２３とを備える。収容ケース１１には、電子部品１５の電極１５ａを外方に臨ませる開口部が形成され、屈曲端子板２３は、電子部品１５の電極１５ａに電気接続するための電気接続部４３及び電子回路に接続するための内部端子４４を有して開口部に対向配置される第１端子板部４１と、外部端子をなして第１端子板部４１に対して屈曲すると共に収容ケース１１の外面１１ｂに配置される第２端子板部４２とを備える。【選択図】図３
2010103055.tif 000002
【特許請求の範囲】
【請求項１】
電子回路を内蔵した本体ユニットの外側に固定され、前記電子回路を外部配線に接続する外部端子を備える端子台であって、
電子部品を収容する収容ケースと、導電性の板材を屈曲して断面Ｌ字状に形成されると共に前記収容ケースに固定される屈曲端子板とを備え、
前記収容ケースには、前記電子部品の電極を外方に臨ませる開口部が形成され、
前記屈曲端子板は、前記電子部品の電極に電気接続するための電気接続部及び前記電子回路に接続するための内部端子を有して前記開口部に対向配置される第１端子板部と、前記外部端子をなして前記第１端子板部に対して屈曲すると共に前記収容ケースの外面に配置される第２端子板部とを備えることを特徴とする端子台。
【請求項２】
前記第２端子板部と前記収容ケースの外面との間には、前記外部配線を固定するためのナットが配置され、
前記外部端子をなす前記第２端子板部には、前記ナットの雌ねじ部を外方に露出させる貫通孔が形成されていることを特徴とする請求項１に記載の端子台。
【請求項３】
前記収容ケース内には、複数の前記電子部品が一列に並べられた状態で収容され、
前記屈曲端子板は、前記複数の電子部品が並列に電気接続されるように一対設けられ、
各屈曲端子板の前記電気接続部は、前記複数の電子部品の配列方向に延びて形成されると共に、前記外部端子と前記内部端子との間に配置されることを特徴とする請求項１又は請求項２に記載の端子台。
【請求項４】
前記一対の屈曲端子板が、封止樹脂によって一体に固定されていることを特徴とする請求項３に記載の端子台。
【請求項５】
請求項１から請求項４の何れか１項に記載の端子台と、前記電子回路を内蔵した前記本体ユニットとを備え、
前記端子台が前記本体ユニットに固定された状態で、前記内部端子が前記電子回路に電気接続されていることを特徴とする電子機器。
【発明の詳細な説明】
【技術分野】
【０００１】
この発明は、端子台及びこれを備える電子機器に関する。
【背景技術】
【０００２】
従来、インバータ電源装置等の電子機器には、例えば図６に示すように、ベアチップや電解コンデンサ等の各種電子部品１０１，１０２によって電子回路を構成したものがある（特許文献１参照）。この電子機器では、発熱量の大きいベアチップ等の電子部品１０１がケース１０３内に収容されており、熱に対して弱い電解コンデンサ（電子部品）１０２をケース１０３の外側に突出させた状態で固定されている。
また、この電子機器は、前記電子回路を外部に電気接続する配線としてのコネクタ部１０４，１０５も備えており、電解コンデンサ１０２と同様に、ケース１０３の外側に突出している。
【特許文献１】特開２００７−２８１１２７号公報
【発明の開示】
【発明が解決しようとする課題】
【０００３】
しかしながら、上記従来の電子機器では、ケース１０３の外側に配された電子部品１０２及び前記電子回路を相互に電気接続する配線と、電子機器の電子回路を外部に電気接続する配線（コネクタ部１０４，１０５）とが別個に設けられているため、これら電子部品１０２及びコネクタ部１０４，１０５は、互いに別の箇所からケース１０３の外側に突出させなければならず、その結果、電子機器が大きくなってしまうという問題がある。
【０００４】
この発明は、上述した事情に鑑みたものであって、前述した２種類の配線を共用する端子台を提供して、この端子台を備える電子機器の小型化を図ることを目的とする。
【課題を解決するための手段】
【０００５】
この課題を解決するために、本発明の端子台は、電子回路を内蔵した本体ユニットの外側に固定され、前記電子回路を外部配線に接続する外部端子を備える端子台であって、電子部品を収容する収容ケースと、導電性の板材を屈曲して断面Ｌ字状に形成されると共に前記収容ケースに固定される屈曲端子板とを備え、前記収容ケースには、前記電子部品の電極を外方に臨ませる開口部が形成され、前記屈曲端子板は、前記電子部品の電極に電気接続するための電気接続部及び前記電子回路に接続するための内部端子を有して前記開口部に対向配置される第１端子板部と、前記外部端子をなして前記第１端子板部に対して屈曲すると共に前記収容ケースの外面に配置される第２端子板部とを備えることを特徴としている。
【０００６】
この発明に係る端子台においては、電子部品を電子回路に接続するための電気配線と、本体ユニット内の電子回路を外部配線に接続するための電気配線とが、同一の屈曲端子板によって共用されている。このため、本体ユニットの外側に配置する外部端子及び電子部品を集約して設けることが可能となる。さらに、この端子台では、屈曲端子板が電子部品を収容する収容ケースの外面側に這わせるように配置されているため、この端子台を小さく構成することができる。その結果、本体ユニットの外側にはコンパクトに構成された端子台のみが突出することになり、端子台を本体ユニットの外側に固定して構成される電子機器の小型化を図ることができる。
【０００７】
なお、前記端子台においては、前記第２端子板部と前記収容ケースの外面との間に、前記外部配線を固定するためのナットが配置され、前記外部端子をなす前記第２端子板部に、前記ナットの雌ねじ部を外方に露出させる貫通孔が形成されてもよい。
この端子台においては、ボルトを第２端子板部の貫通穴に挿通させると共にナットに螺合させることで、外部配線を外部端子にネジ止めすることができる。そして、この端子台によれば、ナットを挟み込むように収容ケースの外面に第２端子板部を配置するだけで、ナットを容易に固定することができるため、ナットを樹脂封止などにより固定する場合と比較して、外部配線を外部端子にネジ止めする機構を備えた端子台を容易に製造することができる。
【０００８】
また、前記端子台においては、複数の前記電子部品が一列に並べられた状態で前記収容ケース内に収容され、前記屈曲端子板は、前記複数の電子部品が並列に電気接続されるように一対設けられ、各屈曲端子板の前記電気接続部は、前記複数の電子部品の配列方向に延びて形成されると共に、前記外部端子と前記内部端子との間に配置されていてもよい。
この場合には、電気的に並列接続される複数の電子部品の数を容易に変更できるため、汎用性の高い端子台として提供することが可能となる。
【０００９】
さらに、前記端子台においては、前記一対の屈曲端子板が、封止樹脂によって一体に固定されていてもよい。
この場合には、一対の屈曲端子板を一括して収容ケースに固定することができるため、端子台を組み立てる工程数を削減して、その製造効率の向上を図ることができる。
【００１０】
また、本発明の電子機器は、前記端子台と、前記電子回路を内蔵した前記本体ユニットとを備え、前記端子台が前記本体ユニットの外側に固定された状態で、前記内部端子が前記電子回路に電気接続されていることを特徴とする。
この電子機器によれば、前述したようにコンパクトに構成された端子台を備えるため、その小型化を図ることができる。
【発明の効果】
【００１１】
本発明によれば、電子部品を電子回路に接続するための電気配線と、電子回路を外部配線に接続するための電気配線とを同一の屈曲端子板によって共用された端子台を構成し、さらに、この端子台を小さく構成することができるため、端子台を備える電子機器の小型化を図ることが可能となる。
【発明を実施するための最良の形態】
【００１２】
以下、図面を参照して本発明の一実施形態について説明する。
図１〜５に示すように、この実施形態に係る端子台１０は、電子回路を内蔵した本体ユニット５の外側に固定されることで、本体ユニット５と共に電子機器１を構成するものである。なお、本体ユニット５は、例えば従来と同様に、電子回路を構成する複数の電子部品をケース内に収容して構成されるものである。
端子台１０は、複数の電解コンデンサ（電子部品）１５を収容する収容ケース１１と、本体ユニット５の電子回路を外部配線に接続するための複数の端子板２１，２３を封止樹脂２５によって一体に固定した端子板ユニット１３とを備えて構成されている。
【００１３】
収容ケース１１は、直方体状の外観を有して大略構成されており、その内部に複数の電解コンデンサ１５を一列に並べた状態で収容できるようになっている。
電解コンデンサ１５の配列方向に沿って延びる収容ケース１１の第１外面１１ａには、電解コンデンサ１５のリード電極（電極）１５ａを外方に臨ませる開口部１１ｃが開口している。なお、図示例の収容ケース１１には開口部１１ｃが複数形成されて、複数の電解コンデンサ１５を個別の開口部１１ｃから外方に臨ませているが、例えば１つの開口部１１ｃから複数の電解コンデンサ１５のリード電極１５ａを外方に臨ませてもよい。
また、第１外面１１ａに隣り合う収容ケース１１の第２外面１１ｂは、外部配線を固定するためのナット１９の一部を収容する収容凹部１１ｄを複数（図示例では５つ）有して形成されており、これら複数の収容凹部１１ｄは、電解コンデンサ１５の配列方向に沿って並べられている。なお、各収容凹部１１ｄの内面形状は、ナット１９の外形形状（図示例では六角形状）に対応づけて形成されており、ナット１９が収容凹部１１ｄ内で回転することを防止している。
【００１４】
また、この収容ケース１１には、その第１外面１１ａ及び第２外面１１ｂにわたって端子板ユニット１３が配されるように、端子板ユニット１３を取り付けるための装着部３１が設けられている。
この装着部３１は、収容ケース１１に対する端子板ユニット１３の取り付け方向を規制する一対の係合突起３２と、第１外面１１ａ上に配される端子板ユニット１３の部分を囲む平面視Ｕ字状の位置決め突起部３３とから構成されている。
一対の係合突起３２は、電解コンデンサ１５の配列方向の両端に位置する第２外面１１ｂから垂直に延びて形成されており、互いに電解コンデンサ１５の配列方向に向き合うにように配されている。位置決め突起部３３は、第１外面１１ａの周縁から突出して形成されている。なお、位置決め突起部３３のうち第２外面１１ｂから垂直に突出する部分は、第１外面１１ａ側に寄せて配された一対の係合突起３２と一体に形成されている。
【００１５】
端子板ユニット１３は、本体ユニット５の電子回路を外部配線に接続する機能だけを有する複数（図示例では３つ）の接続端子板２１と、接続端子板２１と同様の機能に加えて電解コンデンサ１５を電子回路に接続する機能も有する一対の屈曲端子板２３とを備えている。そして、各接続端子板２１は、導電性の板材を屈曲して形成されており、外部配線に接続するための外部端子をなす外部端子板部２７と、本体ユニット５の電子回路に接続するための内部端子板部２８とを備えている。
外部端子板部２７は、これと収容ケース１１の第２外面１１ｂとの間に１つのナット１９が配置されるように第２外面１１ｂ上に配されている。また、外部端子板部２７には、その厚さ方向に貫通してナット１９の雌ネジ部を外方に露出させる貫通孔２７ａが形成されている。そして、内部端子板部２８は、上述した外部端子板部２７を第２外面１１ｂ上に配した状態で、第１外面１１ａから本体ユニット５側に向けて垂直に突出している。
【００１６】
一対の屈曲端子板２３は、互いに電気的に絶縁されるように隙間をあけて配置されている。各屈曲端子板２３は、導電性の板材を屈曲することで断面Ｌ字状に形成されており、第１外面１１ａ上に配される第１端子板部４１と、第２外面１１ｂ上に配される第２端子板部４２とを備えて構成されている。
第１端子板部４１は、電解コンデンサ１５のリード電極１５ａに電気接続するための平板状の電気接続部４３と、本体ユニット５の電子回路に接続するための平板状の内部端子４４とを有している。電気接続部４３は、電解コンデンサ１５の配列方向に延びて形成されると共に、その長手方向の両端から第１外面１１ａに沿って第２外面１１ｂに向けて延びる一対の延出部４５，４６を有して構成され、全体として平面視Ｕ字状に形成されている。
【００１７】
電気接続部４３は、全ての開口部１１ｃに対向配置されている。そして、電気接続部４３には、複数の電解コンデンサ１５のリード電極１５ａに電気接続するための複数の接続孔４７が形成されており、これら複数の接続孔４７は電解コンデンサ１５の配列方向に配列されている。
ここで、一対の屈曲端子板２３を構成する一対の電気接続部４３は、第１外面１１ａ上において互いに平行となるように配されており、一方の電気接続部４３の複数の接続孔４７には、各電解コンデンサ１５の正極及び負極いずれか一方のリード電極１５ａがそれぞれ挿通されている。また、他方の電気接続部４３の複数の接続孔４７には、他方のリード電極１５ａがそれぞれ挿通されている。すなわち、この端子台１０においては、複数の電解コンデンサ１５が一対の屈曲端子板２３によって並列に電気接続されている。
【００１８】
内部端子４４は、電気接続部４３の一方の延出部４５に対して屈曲して連結されており、接続端子板２１の内部端子板部２８と同様に、第１外面１１ａから本体ユニット５側に向けて垂直に突出するように配されている。なお、複数の内部端子板部２８及び一対の内部端子４４は、電解コンデンサ１５の配列方向に沿って一列に並べられており、複数の内部端子板部２８が一対の内部端子４４の間に配置されている。
【００１９】
第２端子板部４２は、前述した電気接続部４３の他方の延出部４６に対して屈曲して連結されており、接続端子板２１の外部端子板部２７と同様に外部配線に接続するための外部端子をなしている。そして、第２端子板部４２は、外部端子板部２７と同様に構成されている。
すなわち、第２端子板部４２は、これと収容ケース１１の第２外面１１ｂとの間に１つのナット１９が配置されるように第２外面１１ｂ上に配されている。また、第２端子板部４２には、その厚さ方向に貫通してナット１９の雌ネジ部を外方に露出させる貫通孔４２ａが形成されている。
なお、複数の外部端子板部２７及び一対の第２端子板部４２は、電解コンデンサ１５の配列方向に沿って一列に並べられており、複数の外部端子板部２７が一対の第２端子板部４２の間に配置されている。
【００２０】
そして、端子板ユニット１３を構成する封止樹脂２５は、上述した複数の接続端子板２１及び一対の屈曲端子板２３を互いに電気的に絶縁させるように固定している。この封止樹脂２５は、端子板ユニット１３を第１外面１１ａ及び第２外面１１ｂにわたって配置できるように断面Ｌ字状に概ね形成されている。
なお、複数の接続端子板２１及び一対の屈曲端子板２３の大部分は封止樹脂２５内に埋設されているが、内部端子板部２８及び内部端子４４は封止樹脂２５から突出している。また、第２外面１１ｂと同じ方向に向く外部端子板部２７及び第２端子板部４２の表面、及び、ナット１９に対面する外部端子板部２７及び第２端子板部４２の裏面の一部は封止樹脂２５から外方に露出している。さらに、電気接続部４３のうち接続孔４７が形成されている領域及びその近傍も封止樹脂２５から外方に露出している。
【００２１】
さらに、封止樹脂２５には、外方に露出する外部端子板部２７及び第２端子板部４２の表面側に立設されて、外部端子板部２７及び第２端子板部４２を分け隔てる複数の区画壁部４８が形成されている。複数の区画壁部４８は、外部端子板部２７及び第２端子板部４２の表面の配列方向に沿って配列されており、外部端子板部２７や第２端子板部４２に無用に触れる等して、相互に隣り合う外部端子板部２７や第２端子板部４２の間で電気的な短絡が生じることを防止している。
【００２２】
さらに、封止樹脂２５のうち外部端子板部２７及び第２端子板部４２の配列方向の両端には、収容ケース１１の一対の係合突起３２部に係合可能な係合溝４９が一対形成されている。なお、一対の係合溝４９は外部端子板部２７及び第２端子板部４２の厚さ方向に延びている。
【００２３】
次に、上記構成の端子台１０を組み立てる方法の一例について説明する。
端子台１０を組み立てる場合には、例えば、収容ケース１１内に電解コンデンサ１５を配置すると共に複数のナット１９を各収容凹部１１ｄに収容した後に、端子板ユニット１３を収容ケース１１に取り付ければよい。なお、端子板ユニット１３を取り付ける際には、一対の係合溝４９に一対の係合突起３２を挿入することで、収容ケース１１に対する端子板ユニット１３の移動方向を一対の係合突起３２の延出方向に規制することができる。また、端子板ユニット１３の取付方向の先端側が位置決め突起部３３に当接することで、収容ケース１１に対する端子板ユニット１３の位置決めがなされる。したがって、収容ケース１１に端子板ユニット１３を容易に固定することができる。
そして、端子板ユニット１３を収容ケース１１に取り付けた後には、複数の電解コンデンサ１５のリード電極１５ａを複数の接続孔４７に個別に挿通させ、半田付けや溶接等により各リード電極１５ａを電気接続部４３に接合すればよい。以上により端子台１０の組み立てが完了する。
【００２４】
そして、この端子台１０において外部配線を外部端子板部２７や第２端子板部４２に電気接続する場合には、ボルトを外部端子板部２７や第２端子板部４２の貫通孔２７ａ，４２ａに挿通させると共にナット１９に螺合させればよい。これにより、外部配線を外部端子板部２７や第２端子板部４２にネジ止めすることができる。
なお、以上のように構成される端子台１０を本体ユニット５に固定した状態においては、同一方向に突出する複数の内部端子板部２８及び内部端子４４が、本体ユニット５の電子回路に電気接続される。
【００２５】
以上説明したように、上記実施形態による端子台１０においては、電解コンデンサ１５を本体ユニット５の電子回路に接続するための電気配線と、本体ユニット５内の電子回路を外部配線に接続するための電気配線とが、同一の屈曲端子板２３によって共用されている。このため、本体ユニット５の外側に配される外部端子及び電解コンデンサ１５を集約して設けることが可能となる。さらに、この端子台１０では、屈曲端子板２３が電解コンデンサ１５を収容する収容ケース１１の外面１１ａ，１１ｂに這わせるように配置されているため、この端子台１０を小さく構成することができる。その結果、本体ユニット５の外側にはコンパクトに構成された端子台１０のみが突出することになり、端子台１０を本体ユニット５の外側に固定して構成される電子機器１の小型化を図ることができる。
【００２６】
また、この端子台１０によれば、ナット１９を挟み込むように収容ケース１１の第２外面１１ｂに第２端子板部４２を配置するだけで、ナット１９を容易に固定することができるため、ナット１９を樹脂封止などにより固定する場合と比較して、外部配線を外部端子板部２７や第２端子板部４２にネジ止めする機構を備えた端子台１０を容易に製造することができる。
【００２７】
さらに、この端子台１０では、複数の電解コンデンサ１５が一対の屈曲端子板２３によって並列に電気接続されているため、複数の電解コンデンサ１５に等しく充電（電荷を等しく蓄積）することが可能となる。すなわち、充電のバランスが複数の電解コンデンサ１５の間で偏ることを防止できる。
また、並列接続される電解コンデンサ１５の数を変更するだけで、本体ユニット５の電子回路において必要となる複数の電解コンデンサ１５の合計容量を容易に調整できるため、汎用性の高い端子台１０として提供することが可能となる。
【００２８】
さらに、この端子台１０によれば、複数の接続端子板２１及び一対の屈曲端子板２３が封止樹脂２５によって一体に固定されているため、複数の接続端子板２１及び一対の屈曲端子板２３を一括して収容ケース１１に固定することができる。したがって、端子台１０を組み立てる工程数を削減して、その製造効率の向上を図ることができる。
【００２９】
以上、本発明の一実施形態について説明したが、本発明の技術的範囲はこれに限定されることはなく、本発明の技術的思想を逸脱しない範囲で適宜変更可能である。
例えば、上記実施形態の端子台１０には電解コンデンサ１５が複数設けられるとしたが、１つだけ設けられるとしてもよい。
また、収容ケース１１には、電解コンデンサ１５が設けられるとしたが、これに限ることはなく、少なくとも本体ユニット５の電子回路に必要な電子部品が設けられていればよい。
【００３０】
また、ナット１９は、収容ケース１１に端子板ユニット１３を取り付けることで所定位置に固定されるとしたが、例えば収容ケース１１や端子板ユニット１３に一体に固定されていてもよい。
さらに、上記実施形態の端子台１０は、別体の収容ケース１１及び端子板ユニット１３を組み合わせて構成されるとしたが、これに限ることはなく、例えば、複数の接続端子板２１及び一対の屈曲端子板２３を個別に収容ケース１１に固定してもよい。また、端子台は、例えばナット１９、接続端子板２１及び屈曲端子板２３を収容ケース１１に一体に成形して構成されてもよい。
また、上記実施形態の端子台１０は、本体ユニット５の電子回路を外部配線に接続するものとして複数の接続端子板２１を備えるとしたが、少なくとも屈曲端子板２３のみ備えていればよい。
【図面の簡単な説明】
【００３１】
【図１】本発明の一実施形態である端子台を示す斜視図である。
【図２】図１の端子台を収容ケースと端子板ユニットとに分離した状態を示す分解斜視図である。
【図３】図１の端子台において、端子板ユニットを構成する封止樹脂を透過した斜視図である。
【図４】図１の端子台を収容ケースの第２外面１１ｂの上方から見た状態を示す上面図である。
【図５】図４のＡ−Ａ矢視断面図である。
【図６】従来の電子機器の一例を示す斜視図である。
【符号の説明】
【００３２】
１  電子機器
５  本体ユニット
１０  端子台
１１  収容ケース
１１ａ  第１外面
１１ｂ  第２外面
１１ｃ  開口部
１５  電解コンデンサ（電子部品）
１５ａ  リード電極（電極）
１９  ナット
２３  屈曲端子板
２５  封止樹脂
４１  第１端子板部
４２  第２端子板部（外部端子）
４２ａ  貫通孔
４３  電気接続部
４４  内部端子
【図１】
2010103055.tif 000003
【図２】
2010103055.tif 000004
【図３】
2010103055.tif 000005
【図４】
2010103055.tif 000006
【図５】
2010103055.tif 000007
【図６】
2010103055.tif 000008